(57)【要約】  建物および土木構造物の建設に使用される構造ブロックのような構造要素として使用されることを意図する建設材料。ブロックは、麻ハード、亜麻、水硬性石灰、および、消石灰を含むのがよい。１つの観点では、ブロックは、構造物の建設において他のブロックと連動することを可能にするように構成された本体形状を備えるのがよい。もう１つの観点では、ブロックは、張力手段を含むようになっているのがよい。ブロックおよびかかる材料を含む構造物を製造する方法、および、かかる構造物を建設する方法もまた、開示されている。【選択図】図１
2017528628.tif 000002
【特許請求の範囲】
【請求項１】
構造物の耐張力特性に貢献するための構造ブロック張力システムであって、該システムは、
各々が、対向した底面および頂面と、対向した側面と、対向した端面と、を有する複数の構造ブロックと、
前記各構造ブロック内に埋設された複数の部材と、を含み、前記各部材の一方の端は、前記構造ブロックの１つの面から延び、前記埋設された部材の１つまたはそれ以上は、貫通する長さ方向キャビティを含み、
前記構造ブロック内で、前記構造ブロックの対向した面から延びる複数の孔を更に含み、前記孔は、隣接した構造ブロックの延びる端と係合するようになっており、
前記埋設された部材の前記１つまたはそれ以上の前記長さ方向キャビティ内に位置決めされた張力手段を更に含み、隣接した構造ブロックの埋設された部材のキャビティが整合して、前記張力手段を受け入れるための導管を形成する、構造ブロック張力システム。
【請求項２】
前記張力手段は、ケーブルを備える、請求項１に記載の構造ブロック張力システム。
【請求項３】
前記ケーブルは、張力がかけられた非伸縮性ケーブルである、請求項２に記載の構造ブロック張力システム。
【請求項４】
前記張力手段は、ロッドを備える、請求項１に記載の構造ブロック張力システム。
【請求項５】
前記張力手段は、張力付与端組立体を更に備える、請求項２に記載の構造ブロック張力システム。
【請求項６】
前記張力付与組立体は、ヘックススエージテンショナである、請求項５に記載の構造ブロック張力システム。
【請求項７】
前記埋設された部材の１つまたはそれ以上の端に被せて位置決めされたストラットキャップを更に備える、請求項１に記載の構造ブロック張力システム。
【請求項８】
構造ブロックの２つの部材の間、かつ、これらの２つの部材から略水力な方向に位置する圧縮ストラットを更に備える、請求項１に記載の構造ブロック張力システム。
【請求項９】
前記構造ブロックは、主に繊維質の材料および主に石灰系の材料から作られている、請求項１に記載の構造ブロック張力システム。
【請求項１０】
前記主に繊維質の材料は、麻ハード、亜麻、コーンストック、穀粒、藁、セルロースストランド、或いはそれらの任意の組み合わせを含む、請求項９に記載の構造ブロック張力システム。
【請求項１１】
前記石灰系材料は、水硬性石灰、または、消石灰の１つまたはそれ以上を含む、請求項９に記載の構造ブロック張力システム。
【請求項１４】
構造物の床、壁、または、屋根の建設における、請求項１に記載の構造ブロック張力システムの使用。
【請求項１５】
構造物の建設における、請求項１に記載の構造ブロック張力システムの使用。
【請求項１６】
構造物の耐張力特性に貢献するための構造ブロック張力システムを製造する方法であって、該方法は、
複数の連動構造ブロックを組み立てるステップを含み、各ブロックは、複数の埋設された部材および複数の孔を含み、前記各部材の一方の端はブロックの１つの面から延び、前記孔は、前記ブロックの対向した面からブロック内に延び、前記孔は、隣接した構造ブロックの延びた端と係合するようになっており、
前記埋設された部材の１つまたはそれ以上の長さ方向キャビティを形成するするステップと、
構造ブロックの埋設された部材の延びた端を隣接したブロックの埋設された部材の孔内に挿入することによって前記複数の連動構造ブロックを接合するステップと、を更に含み、隣接したブロックの前記１つまたはそれ以上の埋設された部材の前記キャビティは、整合して、導管を形成し、
接合されたブロックの前記１つまたはそれ以上の埋設された部材の前記長さ方向キャビティに張力手段を通すステップと、
前記張力手段を締め付けるステップと、更に含む方法。
【請求項１７】
選択される締め付け手段は、ケーブルを備える、請求項１６に記載の方法。
【請求項１８】
前記ケーブルは、張力がかけられた非伸縮性ケーブルである、請求項１７に記載の構造ブロック張力システム。
【請求項１９】
前記張力手段は、張力付与端組立体を更に備える、請求項１８に記載の方法。
【請求項２０】
前記張力付与組立体は、ヘックススエージテンショナである、請求項１９に記載の方法。
【請求項２１】
前記張力手段を締め付けるステップは、
前記１つまたはそれ以上の埋設された部材のキャビティに前記ケーブルの非スエージ端を通すことと、前記ケーブルをぴんと引くことと、
前記ヘックステンショナに近接して前記ケーブルの第２の端をスエージすることと、
前記ヘックステンショナを締め付けること、を含む請求項２０に記載の方法。
【請求項２２】
前記張力手段は、構造ブロックの建設の後に、張力をかけられる、請求項１６に記載の方法。
【発明の詳細な説明】
【技術分野】
【０００１】
本発明は、特定の建設材料、および、かかる材料の調整および使用方法に関する。かかる材料は、建物および土木構造物の建設に使用される構造ブロックのような構造要素として使用されることを意図することができる。
【背景技術】
【０００２】
石灰系バインダマトリックスに含められる植物性付加物（例えば、ChanvriblockTMブロックを製造するのに使用される麻）を使用した石工用ブロックの製造が、当業界で知られた方法である。
【０００３】
従来技術はまた、断熱性或いは耐荷重性のいずれかである特性を有することができる、家または商業建物のような構造物の建設に使用されるブロックを開示している。
【０００４】
WO 2014072533号は、植物性付加物を含む低熱伝導性を備えると言われる断熱性建設材料、並びに、かかる材料の調整方法および使用を開示している。
【０００５】
耐荷重性と断熱性の両方を一体化させた組成と構成を有する構造ブロックがあれば有利であろう。
【０００６】
構造ブロックに追加の補強と耐張力性を提供するための更なる手段があれば、これまた有利であろう。
【発明の概要】
【０００７】
本願で開示されている発明は、特定の建設材料、並びに、かかる材料の調整および使用方法に関する。かかる材料は、建物および土木構造物の建設に使用される構造ブロックのような構造要素として使用されることを意図することができる。材料が構造ブロックの製造に使用されるとき、かかるブロックは、断熱性と共に耐荷重性を一体化することができる。１つの実施形態では、本発明のブロックは、更に、張力を提供することができる張力システムを収容するようになっているのがよい。そのようにして、本発明のブロックはまた、耐張力性になっているのがよい。
【０００８】
本発明の１つの観点によれば、構造物の建設において相補的なブロックと連動するように構成されているのがよい構造ブロックが提供される。１つの実施形態では、構造ブロックは、埋設された部材、または、ブロックの１つの側の表面から突出したストラット、および、もう１つの側上の凹部を収容するのがよい。
【０００９】
本発明の別の実施形態によれば、構造物の建設において耐張力特性に貢献するための構造ブロック張力システムが提供され、このシステムは、複数の構造ブロックを含み、各構造ブロックは、対向した頂面および底面、対向した側面、および、対向した端面を有し、各ブロック内に埋設された複数の部材を更に含み、各部材の１つの端は、構造ブロックの１つの面から延び、埋設された部材の１つまたはそれ以上は、長さ方向キャビティを含み、構造ブロックの対向した端から構造ブロック内で延びる複数の孔を更に含み、これらの孔は、隣接した構造ブロックの延びる端に係合するようになっており、１つのまたはそれ以上の埋設された部材の長さ方向キャビティ内に位置決めされた張力手段を更に含み、隣接した構造ブロックの埋設された部材の長さ方向キャビティは、整合して、張力手段を受け入れるための導管を形成する。
【００１０】
本発明のもう１つの観点によれば、構造物の耐張力特性に貢献するための構造ブロック張力システムを製造する方法が提供され、この方法は、複数の連動構造ブロックを組み立てるステップを含み、各ブロックは、複数の埋設された部材および複数の孔を含み、前記各部材の一方の端はブロックの１つの面から延び、前記孔は、前記ブロックの対向した面からブロック内に延び、前記孔は、隣接した構造ブロックの延びた端と係合するようになっており、前記埋設された部材の１つまたはそれ以上の長さ方向キャビティを形成するステップと、構造ブロックの埋設された部材の延びた端を隣接したブロックの埋設された部材の孔内に挿入することによって前記複数の連動構造ブロックを接合するステップと、を更に含み、隣接したブロックの前記１つまたはそれ以上の埋設された部材の前記キャビティは、整合して、導管を形成し、接合されたブロックの前記１つまたはそれ以上の埋設された部材の前記長さ方向キャビティに張力手段を通すステップと、前記張力手段に張力をかけるステップと、を更に含む。
【００１１】
更に別の観点は、構造物の床、壁、または、屋根の建設における本発明の構造ブロック張力システムの使用である。
【００１２】
もう１つの観点は、構造物の建設における本発明の構造ブロック張力システムの使用である。
【００１３】
本発明の更に別の観点、特徴、および、利点は、以下の説明および特許請求の範囲から明らかになるであろう。
【図面の簡単な説明】
【００１４】
【図１】本発明による構造ブロックの正面斜視図である。
【図２】図１の構造ブロックの底面斜視図である。
【図３】図１−２の構造ブロックの底面図である。
【図４】本発明による構造ブロックの頂面図である。
【図５】本発明の好ましい実施形態による、貫通導管を含む構造ブロックの正面斜視図である。
【図６】図５の構造ブロックの底面斜視図である。
【図７】図５−６の構造ブロックの底面図である。
【図８】本発明の好ましい実施形態による穿孔ストラットを含む構造ブロックの頂面図である。
【図９】図８の構造ブロックの正面図である。
【図１０】図８−９の構造ブロックの側面図である。
【図１１】本発明による張力システムを収容するようになった構造ブロックの斜視図である。
【図１２】本発明による張力システムを収容するようになった構造ブロックの種々の図である。
【図１３】本発明によるヘックススエージテンショナを備える張力システムの好ましい実施形態の斜視図である。
【図１４】本発明による張力システムにより互いに接合されたブロックの種々の図およびタイプを示す図である。
【図１５】本発明による圧縮ストラットを収容するようになった構造ブロックの平面図である。
【図１６】図１５の構造ブロックの正面図である。
【図１７】図１５−図１６の構造ブロックの側面図である。
【図１８】本発明による圧縮ストラットを収容するようになったもう１つの構造ブロックの正面図である。
【図１９】図１８の構造ブロックの側面図である。
【図２０】図１８−図１９の構造ブロックの側面図である。
【図２１】本発明の構造ブロックを使用した本発明による建物の建設の種々の図の１つである。
【図２２】本発明の構造ブロックを使用した本発明による建物の建設の種々の図の１つである。
【図２３】本発明の構造ブロックを使用した本発明による建物の建設の種々の図の１つである。
【図２４】本発明の構造ブロックを使用した本発明による建物の建設の種々の図の１つである。
【図２５】本発明の構造ブロックを使用した本発明による建物の建設の種々の図の１つである。
【図２６】本発明の構造ブロックを使用した本発明による建物の建設の種々の図の１つである。
【図２７】本発明の構造ブロックを使用した本発明による建物の建設の種々の図の１つである。
【図２８】本発明の構造ブロックを使用した本発明による建物の建設の種々の図の１つである。
【図２９】本発明の構造ブロックを使用した本発明による建物の建設の種々の図の１つである。
【図３０Ａ】本発明の構造ブロックを使用した本発明による建物の建設の種々の図の１つである。
【図３０Ｂ】本発明の構造ブロックを使用した本発明による建物の建設の種々の図の１つである。
【図３０Ｃ】本発明の構造ブロックを使用した本発明による建物の建設の種々の図の１つである。
【図３０Ｄ】本発明の構造ブロックを使用した本発明による建物の建設の種々の図の１つである。
【図３０Ｅ】本発明の構造ブロックを使用した本発明による建物の建設の種々の図の１つである。
【図３１Ａ】本発明の構造ブロックを使用した本発明による建物の建設の種々の図の１つである。
【図３１Ｂ】本発明の構造ブロックを使用した本発明による建物の建設の種々の図の１つである。
【図３１Ｃ】本発明の構造ブロックを使用した本発明による建物の建設の種々の図の１つである。
【図３１Ｄ】本発明の構造ブロックを使用した本発明による建物の建設の種々の図の１つである。
【図３１Ｅ】本発明の構造ブロックを使用した本発明による建物の建設の種々の図の１つである。
【図３１Ｆ】本発明の構造ブロックを使用した本発明による建物の建設の種々の図の１つである。
【図３１Ｇ】本発明の構造ブロックを使用した本発明による建物の建設の種々の図の１つである。
【図３１Ｈ】本発明の構造ブロックを使用した本発明による建物の建設の種々の図の１つである。
【図３１Ｉ】本発明の構造ブロックを使用した本発明による建物の建設の種々の図の１つである。
【図３２Ａ】本発明の構造ブロックを使用した本発明による建物の建設の種々の図の１つである。
【図３２Ｂ】本発明の構造ブロックを使用した本発明による建物の建設の種々の図の１つである。
【図３２Ｃ】本発明の構造ブロックを使用した本発明による建物の建設の種々の図の１つである。
【図３２Ｄ】本発明の構造ブロックを使用した本発明による建物の建設の種々の図の１つである。
【図３２Ｅ】本発明の構造ブロックを使用した本発明による建物の建設の種々の図の１つである。
【図３２Ｆ】本発明の構造ブロックを使用した本発明による建物の建設の種々の図の１つである。
【図３２Ｇ】本発明の構造ブロックを使用した本発明による建物の建設の種々の図の１つである。
【図３２Ｈ】本発明の構造ブロックを使用した本発明による建物の建設の種々の図の１つである。
【図３２Ｉ】本発明の構造ブロックを使用した本発明による建物の建設の種々の図の１つである。
【図３３】本発明の構造ブロックを使用した本発明による建物の建設の種々の図の１つである。
【発明を実施するための形態】
【００１５】
本発明は、特定の建設材料、および、かかる材料の調整おとび使用方法に関する。本発明を記載するときに、本願で明示的に定義されないいかなる用語および表現も、当業者が理解する共通に受け入れられる定義を有する。以下の記載は、特定の実施形態または本発明の特定の使用のものである限りにおいて、例示的なものに過ぎず、本発明を制限することを意図するものではなく、本発明には、全体的に記載と調和した最も広い解釈が与えられるべきである。
【００１６】
本発明の建設材料は、建物構造物および土木構造物のための構造要素に使用されることを意図している。
【００１７】
１つの実施形態では、材料は、構造ブロックの製造に使用される。１つの観点では、本発明のブロックは、圧縮および捩り耐荷重性を断熱性と一体化させるように設計されるのがよい。
【００１８】
図１−図４は、本発明の好ましい実施形態による構造ブロックを示している。図１−図４に示されているように、本発明の各ブロックは、壁または家のような構造物を建設するときに、他のブロックと連動させるように構成された本体形状を有するのがよい。かかる設計は、構造物全体に更なる強度を与えることができる。
【００１９】
１つの実施形態では、各ブロックは、１つまたはそれ以上の埋設された部材を収容するのがよい。当業界ではストラットとも呼ばれることができる部材は、ブロック内に埋設されるか、或いは、建物の建設中に挿入されるのがよく、ブロックの荷重、特に、耐圧縮荷重性に貢献することができる。埋設された部材の一方の端は、ブロックの１つの側から所与の距離、外へ突出しており、埋設された部材の反対側の端は、反対側でブロック内の途中で終端している。
【００２０】
もう１つの実施形態では、埋設された部材は、ブロックの面と面一であってもよく、また、部材を整合させ、互いに接合するように位置決め装置が使用されてもよい。例えば、方向性クリップを備えた管が、隣接したブロックの当接した端を把持するように、ブロックの間で使用されてもよい。
【００２１】
凹部または開口部が、ブロック内に形成されているのがよく、埋設された部材の終端からブロック内を通って、埋設された部材が突出する側と反対の、ブロックの１つの側の面まで延びているのがよい。
【００２２】
１つの実施形態では、埋設された部材の延ばされた端は、ブロック内の凹部の深さと略等しい距離だけブロックから突出するのがよい。例として、８インチ（２０．３ｃｍ）の高さをもつブロックは、長さが８インチ（２０．３ｃｍ）の埋設された部材を有することができる。部材の突出した端は、ブロックの１つの側の面から外に２インチ（５．０８ｃｍ）延びるのがよく、残りの６インチ（１５．２ｃｍ）は、ブロック内に埋設されるのがよい。部材の反対側の端でブロック内に形成された凹部は、深さが２インチ（５．０８ｃｍ）であるのがよい。凹部は、ブロック内に収容された埋設された部材の終端から直ぐに、ブロックの反対側の面まで延びるのがよい。
【００２３】
凹部は、所定の寸法形状を有するのがよく、もう１つのブロックの埋設された部材の突出した端と整合して、この端を収容するように互いに間隔を隔てて配置されるのがよい。かかる構成は、連動「ピンおよびソケット」構成と同様であるのがよく、圧縮下のブロックの耐荷重特性にも貢献しながら、追加のブロックに対して正確にブロックを位置決めするための位置決め手段として機能することができる。
【００２４】
１つのブロックの埋設された部材の突出した端が第２のブロックの埋設された部材の対応する凹部内に位置決めされるときに、埋設された部材の突出するは、第２のブロックの埋設された部材の終端と直接接触しているのがよい。その結果、ブロックは、自動的に整合されると言うことができ、埋設された部材は、耐荷重構造部材を形成する積み重ね構造を形成すると言うことができる。
【００２５】
組み立ての容易さのために、ブロック内の凹部は、埋設された部材の幅よりも大きいいくらかの測定値の幅を有するのがよい。１つの実施形態では、凹部の幅は、隣接したブロックの突出した部材の挿入の容易さに順応するために、部材の幅よりも１／４インチ（０．６３５ｃｍ）、凹部の各側で（ブロックおよび凹部が正方形であるときに４つの側面の各々で）１／８インチ（０．３１８ｃｍ）広いのがよい。
【００２６】
第２のブロックの対応する凹部内に１つの埋設された部材の突出した端を結着するために、例えば、石灰モルタルのような、任意の適当な結着剤が、使用されるのがよい。かかる結合部は、形成されると、ブロック自体よりも強いことができる。
【００２７】
埋設された部材および対応する凹部が連動されるとき、ブロックの耐荷重性或いはその他の構造特性に貢献することができる分子結合が形成されることができる。いくつかの例では、本発明のブロックの耐荷重能力は、中空のコンクリートブロックの耐荷重能力よりも数倍大きいことができ、在来のスタッドフレーム付き壁構造の耐荷重能力とより同様であるか、或いはこれを越えることができる。
【００２８】
もう１つの実施形態では、埋設された部材の間の等距離に位置決めされるのがよい穴をブロック上に作るのがよい。図５−図７では、穴は、例えば、壁構造内に電気配線または他の設備を収容するための導管を作るのに使用されることができる。穴は、また、ブロックの内部を、例えば、注入された二酸化炭素に曝すことによって、硬化工程にとって有益であることができる。代替実施形態では、いくつかのストラット部材は、中空であるか、或いは、スロットが付けられているのがよい。図８−図１０に示されているように、もう１つの実施形態では、追加の穿孔管或いはストラットが、ブロック内を通して組み込まれてもよい。
【００２９】
部材またはストラットそれ自体の組成は、費用および材料の耐荷重能力を考慮して使用される材料に対する任意の選好をもって、任意の硬質材料、または、その混合物を含んでもよい。好ましい実施形態では、埋設された部材は、樅、トウヒ、松、杉等の任意の木製材料を含んでよい。要素はまた、麻、または炭素繊維等のような、有機繊維または非有機繊維の複合材を含んでもよい。更に別の実施形態では、埋設された部材は、バイオファイバ、および、ポリエチレン、ポリプロピレン、または。ポリエステルのようなポリマーの混合物を含んでもよい。いくつかの適合性金属を使用してもよい。部材またはストラットは、中空の正方形または円筒形管のような中空であってもよい。他の材料には、金属、炭素繊維または複合物、３Ｄプリントまたは押出プラスチック、或いは任意の適切な構造部材がある。
張力システム
【００３０】
１つの実施形態では、本発明のブロックは、張力システムでもあるようになっているのがよい。図１１−図１２に示されているように、ブロックは、更に、張力を提供することができる張力システムを収容するようになっているのがよい。かかる実施形態では、ブロックの埋設された部材は、埋設された部材の長さを通って、張力手段を収容しているのがよく、かかる張力手段は、部材の一方の端から入り、部材の他方の端から出る。
【００３１】
１つの実施形態では、張力手段は、例えば、張力がかけられた非伸縮性ステンレス鋼ケーブルのようなケーブルであるのがよい。代替実施形態では、システムは、ロッドを備えてもよい。
【００３２】
図１３に示されているように、張力システムがケーブルを備えるとき、張力付与端組立体は、ケーブルに加えて、ヘックススエージテンショナを含むのがよい。
【００３３】
図１４に示されているように、組み立てられたとき、各々のブロックの埋設された部材は、張力手段を多数の埋設された要素およびブロックに通すように、他のブロックの対応する部材と整合するのがよい。
【００３４】
かかる構成は、本発明のブロックを含む構造物のための更に別の締結手段を提供する。特に、かかる構成は、ブロックが、床、壁、傾斜屋根面、若しくは平らな屋根面等のような非鉛直構造要素に適した張力により互いに接合されることができる点で、耐張力性であることができる。
【００３５】
もう１つの実施形態では、張力がかけられたブロックによって形成された構造要素の圧縮強さを増加させるために、圧縮ストラットと呼ぶことができる追加の部材が、使用されるのがよい。図１５−図２０に示されているように、圧縮ストラットは、各々が張力手段としてケーブルを収容しているブロックの本体内に一体化された１対の既存のストラットまたは部材の間にこの１対の既存のストラットと接触させて略垂直に配置されるのがよい。この実施形態における圧縮ストラットの適用は、ブロック材料に固有の構造を必要とすることなく埋設された部材対を正しく間隔を隔てた状態に保ち、張力がかけられたストラットの隣接した対、および、ケーブルまたはロッドをそれらの長さに亘って本質的に等距離に保つのを助けることができる。
【００３６】
ストラットキャップおよびまたは取付けプレートのような他の要素を、本発明にしたがって、使用することができる。例として、ストラットキャップは、埋設された部材の突出端に被せて、延びた端がキャップから突出するようにして、ブロック内に設置されるのがよい。
【００３７】
実地では、張力手段は、ブロックが整合された後に、建設後に張力がかけられてもよい。
【００３８】
張力手段が、ケーブルを含むときに、屋根に対する張力付与手順は、例えば、以下のステップを含むのがよい：
(i)   平らな水平面上で張力ブロックを使用して梁を組立て、梁に、ケーブルを使用して予張力をかけ、梁を持ち上げる。代替的には、所定位置でブロックを組み立て、ケーブルを使用して後で張力をかけるために、足場を必要とするであろう。
(ii） 一旦屋根を建設した（端キャップなしで）後に、ケーブルの非スエージ端を、屋根の頂から、埋設された部材を通して送る。
(iii)  ケーブルをぴんと引く。
(iv)  ケーブルの第２の端を、なるべくヘックステンショナの近くでスエージする。
(v)   ヘックステンショナを、必要なだけ多く締め付ける。
【００３９】
１つの実施形態では、床、屋根、或いは壁でもよい他の非垂直構造を形成するために、必要なだけの頻度で、張力手段を加える必要があることがある。
バイオファイバ構造ブロック
【００４０】
好ましい実施形態では、本発明のブロックの本体は、主に繊維質の石灰組成物を含むのがよい。特に、各ブロックの組成は、以下の成分を含むのがよい：
(i)    麻ハード(hemp hurd)、および繊維
(ii)   亜麻繊維
(iii)  水硬性石灰、
(iv)   消石灰
【００４１】
本発明の好ましい組成物を含むブロックの実施を通して、いくつかの利益を実現することができる。麻ハード、亜麻、水硬性石灰、消石灰を含む組成物は、環境的に持続可能、再生可能であり得、並外れた断熱品質を提供しながら、大気から二酸化炭素を捕捉することができる。
【００４２】
コンクリートブロックは、取り扱いのために、重量の故に、寸法が、例えば１６インチ（４０．６ｃｍ）に制限される必要があることがあるけれども、本発明のブロックは、４８インチ（１２２ｃｍ）またはそれ以上の長さを有することができ、そのより低い密度、例えば３００ｋｇ／ｍ3 の故に、取り扱いの容易性を維持することができる。
【００４３】
石灰成分は、主として、その他の成分を互に保持する結着剤として作用することができる。しかしながら、より強力な結着剤が必要とされる場合には、任意の適当な結着剤を代わりに用いることができる。適当な代替結着剤には、ポリマー系剤、例えば珪砂、ポゾラン、ポリマー樹脂、或いはポルトランド若しくは同様なセメント若しくはしっくいがある。かかる代替剤はまた、好ましい実施形態の石灰成分と組み合わせて使用することもできる。
【００４４】
麻ハードおよび繊維成分は、ブロックおよびブロック中の構造部材に断熱性、窩さ、支持、および、強度を提供することができる。しかしながら、代替物で、同様な望ましい性質を提供することができる任意の代替材料またはその組み合わせを使用することができる。いくつかの有機代替物には、コーンストックス、穀粒、藁等のような、繊維質材料がある。麻ハードは、その他の繊維と関連して主としてその断熱品質により、好ましい材料である。
【００４５】
代替的には、発泡スチロール／ポリスチレンのような非有機材料、または、非再生可能プラスチックを使用することができる。かかる材料はまた、シュレッドされた形態で使用することができる。構造繊維（配向性セルロースストランド、プラスチック、金属、または、炭素フィラメント）を含めたり、或いは、代用することもできる。これらの非有機代替物の適用は、かかる非再生可能な材料を環境から隔離することができ、ブロックに異なる品質（強度、伝導性、電気またはＲＦ遮蔽、騒音軽減等）を追加することができる点で、追加の利点を提供することができる。
再生可能性および持続可能性
【００４６】
好ましい実施形態の組成は、麻ハード、亜麻、水硬性石灰、および、消石灰を含む。主に繊維-石灰の組み合わせは、有機的であり、生物再生可能な材料から構成されている。かかるブロックを使用した構造物の有用耐用年数が終了すると、その成分は、再生利用することができる。例えば、ブロック全体は、破砕されて、さらに次の施用のために再混合されることができる。
【００４７】
組成物の成分は、持続可能性でもある。例えば、麻ハードは、その有利な性質に加えて、供給につき容易に入手可能であり、ほとんど水および肥料なしで大変迅速に成長する。
【００４８】
他の有利な性質が、好ましい実施形態の繊維-石灰組成によって実現することができる。特に、かかる組み合わせは、建物が、「呼吸する」ことを可能にする。空気および湿気は、大変ゆっくりとした速度でブロックの内外の両方に通過することができる。水蒸気バリアを使用する必要がない。
【００４９】
組成はまた、かび、シロアリ、および他の害虫に対して耐性である。
【００５０】
好ましい実施形態のブロック組成を使用した構造物は、麻ハード、石灰混合物、或いは他の組成により耐火を可能にする。
【００５１】
もう１つの実施形態では、本発明のブロックは、さらに、ライム仕上げ材で被覆されるのがよい。本発明のブロックは、いくつかの、例えば５つ以上のライム被覆物で被覆されるのがよい。
【００５２】
本発明のブロックを使用した構造は、結合されてモノリシックになるのがよい。かかる性質は、特に地震、ハリケーン、或いは竜巻を受けやすい地域で特に有用である。
【００５３】
耐水性或いは耐湿性は、とくに石灰成分の使用によって達成することができる。石灰成分はまた、好ましい実施形態のブロックが自己「修復」することを可能にする。例えば、ライム被覆の亀裂は、湿気にさらされるときに、時間が経つと閉じることができる。
二酸化炭素隔離
【００５４】
本発明の好ましい組成を含むブロックの二酸化炭素隔離性は、温室ガス二酸化炭素を地球の大気から除去し、隔離することを可能にする。
【００５５】
組成の麻ハードは、植物が成長するときに、約２０トン／ヘクタール以上の速度で二酸化炭素を隔離することができる。
【００５６】
好ましい実施形態の麻ハード-石灰組成ブロックは、約１００キログラム／立法メートルの二酸化炭素を捕獲／吸収する能力を有する。石灰成分は、二酸化炭素を、混合物を硬化し、固化するのに使用することができる。かかるブロックを備える平均的な家は、例えば、ブロックの製造中に、約13,000キログラムの二酸化炭素を捕獲することができ、約１００年間二酸化炭素を吸収し続けることができる。
製造方法
【００５７】
本発明のブロックの製造は、成形方法を使用した手段によって達成することができる。
【００５８】
製造中、埋設された部材またはストラットは、所望の長さ、例えば、８インチ（２０．３ｃｍ）の長さに切断されるのがよい。それらの部材の長さを通して、張力手段のための導管として役立つ穴があけられるのがよい。
【００５９】
所望の数のストラットおよび穿孔管が、ジグで、モールド内の所望の位置に配置される。
【００６０】
ブロックの組成物の成分を含む混合物が、組み合わされて、混合されるのがよい。次いで、この混合物は、モールド内に、例えば、注がれ、噴霧され、または、射出されるのがよい。
【００６１】
組成物は、圧縮され、および／または、加熱され、固化されるのがよい。硬化工程中、二酸化炭素が、注入され、或いは、硬化するブロックによって（または、硬化するブロック内の導管を）通されるのがよい。使用される石灰組成物によっては、ブロックは、温度、湿度、および、二酸化炭素環境を制御するオートクレーブ内で硬化されるのがよい。製造時に、ブロックの内側面および外側面に石灰被覆が施されるのがよく、それにより、ブロック強度を増加させ、建設仕上げ時間を減少させることができる。
建物構造物および関連する材料
【００６２】
構造物および関連する建設材料がまた、図２１−図３３に示されているように、本発明によって開示されている。
【００６３】
好ましい実施形態では、かかる建設材料は、本発明に開示されたブロックを含むのがよい。その結果、本発明の構造物に使用されるブロックは、耐荷重性、耐張力性、かつ、断熱性であることができる。
【００６４】
使用されるブロックは、標準的な建物建設寸法を有するのがよい。高さ、幅、および、長さは、適用例、配向性、および、所望の断熱性要求によって変わり得る。例えば、構造物の壁に使用されるブロックは、標準的な１１インチ（２７．９ｃｍ）幅、および、８インチ（２０．３ｃｍ）高さであるのがよいが、長さは変わり得る。屋根構造ブロックは、１２インチ（３０．５ｃｍ）高さ、および、１６インチ（４０．６ｃｍ）幅であるのがよい。
【００６５】
建物材料はまた、組み立てのための所望の建設現場に輸送される前に予め製造されるのがよい。
【００６６】
１４００平方フィートの家構造物は、例として、以下のように提供される。
壁ブロック
【００６７】
壁ブロックは、標準的な高さおよび幅を有するのがよいが、長さは変わり得る。壁ブロックは、標準的な１１インチ深さ（２７．９ｃｍ）、および、８インチ高さ（２０．３ｃｍ）を有し、長さは変わり得る。以下の合計数は、現場で切断されてもよいブロックを含む。
４インチ（１０．２ｃｍ）：８個
８インチ（２０．３ｃｍ）：１２個
１２インチ（３０．５ｃｍ）-２ストラット：１３個
１２インチ（３０．５ｃｍ）-４ストラット：２９個
１６インチ（４０．６ｃｍ）：７個
２０インチ（５０．８ｃｍ）：１３個
２４インチ（６１．０ｃｍ）：６３個
３２インチ（８２．９ｃｍ）：９７個
３６インチ（９１．４ｃｍ）：４３個
４８インチ（１２１．９ｃｍ）：６４４個
合計壁ブロック数：９２９個
４８インチ（１２１．９ｃｍ）壁スタータストリップ（圧力処理プライウッドで作られているのがよい）：６５個
屋根ブロック
R＝屋根
Ed＝縁（常に４８インチ（１２１．９ｃｍ）
S＝スタータ
E＝端
P＝頂 
R２４インチ（６１．０ｃｍ）：１個
R３２インチ（８２．２ｃｍ）：２個
R４８インチ（１２１．９ｃｍ）：１９８個
Red：２０個
Re３２インチ（８２．２ｃｍ）：１個
Re４８インチ（１２１．９ｃｍ）：１９個
Reed：２個
Rs２４インチ（６１．０ｃｍ）：１個
Rs４８インチ（１２１．９ｃｍ）：２３個
Rsed：２個
Rp２４インチ（６１．０ｃｍ）：２個
Rp４８インチ（１２１．９ｃｍ）：２１個
Rped：２個
合計屋根ブロック数：２９６個
梁ブロック
標準１６インチ（４０．６ｃｍ）：３６個
１６インチ（４０．６ｃｍ）端ブロック：２個
１６インチ（４０．６ｃｍ）端キャップ：２個
標準１２インチ（３０．５ｃｍ）：４個
１２インチ（３０．５ｃｍ）端キャップ：１個
合計梁ブロック数：４４個
構造タイ
【００６８】
構造タイは、呼吸可能であるのがよく、１つの実施形態では、１６ゲージステンレス鋼メッシュから作られるのがよい。
壁／屋根構造タイ
頂タイ：３０個
正方形メッシュタイ：２５個
構造ブラケット：５個
木材（特に注記がなければ粗切断）
１２インチ（３０．５ｃｍ）梁の下  １と１／２インチ（３．８１ｃｍ）×１２インチ（３０．５ｃｍ）×１２インチ（３０．５ｃｍ）：１個
１６インチ（３０．５ｃｍ）梁の下  １と５／８インチ（４．１３ｃｍ）×１２インチ（３０．５ｃｍ）×１６インチ（３０．５ｃｍ）：２個
２フィート（７０．０ｃｍ）×６フィート（１８３ｃｍ）屋根スタータブロックサポート（各１個）：
３７フィート（１１２７ｃｍ）-８インチ（２０．３ｃｍ）長さ
３５フィート（１０６７ｃｍ）-８インチ（２０．３ｃｍ）長さ
１１フィート（３３５．３ｃｍ）-８インチ（２０．３）長さ
２フィート（７０．０ｃｍ）長さ
２×６窓／扉ヘッダおよびフッタ（仕上げ済み）
６フィート（１８３ｃｍ）-４インチ（１０．２ｃｍ）：２個（主寝室窓）
９フィート（２７４ｃｍ）：２個（リビングルーム窓）
５フィート（１５２ｃ、）：１個（正面扉）
８フィート（２４４ｃｍ）-４インチ（１０．２ｃｍ）：１個（裏扉／窓）
３フィート（９１．４ｃｍ）-８と１／２インチ（２１．６ｃｍ）：１個（裏窓フッタ）
６フィート（１８３ｃｍ）-４インチ（１０．２ｃｍ）：４個（寝室窓）
２×４窓／扉トリム（仕上げ済み）
６フィート（１８３ｃｍ）-８インチ（２０．３ｃｍ）長さ：４個（扉）
３フィート（９１．４ｃｍ）-４インチ（１０．２ｃｍ）：８個（窓-非リビングルーム）
４フィート（１２１。９ｃｍ）-８インチ（２０．３ｃｍ）長さ：２個（リビングルーム窓）
ファスナ
【００６９】
使用されるファスナは、石灰建設物と適合的であるべきであり、ステンレス鋼またはセラミック被覆ファスナを含むのがよい。
構造物の仕上げ
【００７０】
本発明の１つの実施形態では、石灰モルタル、或いは別の適当なモルタルが、別のブロック面に隣接したすべてのブロック面上にブラシがけされるのがよい。その結果、これにより、モノリシックであり、封止された構造物を創出することができる。
【００７１】
本発明の構造物の内部壁は、石灰下塗り物であるのがよく、色付けすることができ、壁上に塗られた呼吸可能な塗装を有するのがよい。代替実施形態では、内部壁は、更に施しがなされる必要はない。もう１つの実施形態では、内部壁はまた、シートロック、木材ベニア、または、好ましくは煉瓦と内部パネルとの間に最小１インチ（２．５４ｃｍ）のエアスペースが作られた煉瓦のパネルで覆われているのがよい。
【００７２】
本発明の構造物の内部壁は、無地被覆バイオファイバおよび石灰仕上げが施されるのがよい。かかる施しは、モノリシック品質および強度に更なる仕上げ観、および、色褪せない若しくは色褪せに耐える色仕上げを付加することができる。もう１つの実施形態では、外部壁は、モルタル塗り、すなわち「漆喰外観」を有するのがよい。かかる塗りもまた、モノリシック品質および強度に更なる仕上げ観、および、色褪せない若しくは色褪せに耐える色仕上げを付加することができる。さらに別の実施形態では、典型的な壁スライド化粧張り煉瓦および他の非浸透性材料が使用されるのがよく、ブロック表面から最小１インチ（２．５４ｃｍ）のスペースを維持すべきである。更にもう１つの実施形態では、外部壁に更に施しをする必要はなく、ブロックに、装飾外表面が形成されているのがよい。ブロックは、装飾、或いは吸音、撥水、光反射等の目的で、エンボス加工された、或いは模様付けされた表面を有するのがよい。
【００７３】
当業者で知られた任意の屋根材料を、本発明の構造物と共に使用することができる。呼吸できない材料が使用される場合には、呼吸しない材料と屋根ブロックとの間に、約１インチ（２．５４ｃｍ）の最小スペースがあるべきである。１つの実施形態では、例えば、７被覆、１００年石灰仕上げで被覆されるのがよい。代替実施形態では、屋根は更に、エアスペースを必要としなくてよい呼吸可能なバイオファイバ「粘土状」タイルを備えるのがよい。
好ましい提案されるブロック利点
【００７４】
本発明の最も好ましい実施形態は、以下の特徴のいくつか、または、すべてを有する：
・強力な耐荷重性
・１００％の熱破壊で、R26からR40、または、λ＝0.07W/m.Kの優れた断熱性
・優れた耐火等級
・環境的に持続可能な炭素ゼロ乃至ネガティブCO2 建物材料分類
・内部温度を調整するための良好な熱慣性および熱質量特性
・優れた空気および湿度透過性
・契約者および建築家が実行することを容易にする既存の建築基準および寸法との一致  ステンレス鋼またはセラミック被覆ねじのような在来のファスナを使用することができる
・取り扱いが容易な、建設組み立てのために熟練労働を必要としない軽量
・大変迅速な建設、建設された壁は風雨に耐え、仕上げ物を直ちに施すことができる。工場で準備されたフェース表面は、最小の内部および外部仕上げを必要とする
・標準的な寸法は、現場でロボットまたは機械補助組み立てを許容することができる
・電気配線および設備を収容するためのブロック内の一体化された導管路
【００７５】
これまでの記載では、説明の目的で、本発明の実施形態の完全な理解を提供するために多くの詳細が示されている。しかしながら、これらの特定の詳細は、本発明を実施するためには必要ないことが、当業者には明らかであろう。
【００７６】
本発明の上記の実施形態は、例としてのみ意図されている。当業者は、本発明の範囲を逸脱することなく、特定の実施形態に対する代替、変更、および、変形を行うことができる。
【図１】
2017528628.tif 000003
【図２】
2017528628.tif 000004
【図３】
2017528628.tif 000005
【図４】
2017528628.tif 000006
【図５】
2017528628.tif 000007
【図６】
2017528628.tif 000008
【図７】
2017528628.tif 000009
【図８】
2017528628.tif 000010
【図９】
2017528628.tif 000011
【図１０】
2017528628.tif 000012
【図１１】
2017528628.tif 000013
【図１２Ａ】
2017528628.tif 000014
【図１２Ｂ】
2017528628.tif 000015
【図１２Ｃ】
2017528628.tif 000016
【図１３】
2017528628.tif 000017
【図１４Ａ】
2017528628.tif 000018
【図１４Ｂ】
2017528628.tif 000019
【図１４Ｃ】
2017528628.tif 000020
【図１４Ｄ】
2017528628.tif 000021
【図１５】
2017528628.tif 000022
【図１６】
2017528628.tif 000023
【図１７】
2017528628.tif 000024
【図１８】
2017528628.tif 000025
【図１９】
2017528628.tif 000026
【図２０】
2017528628.tif 000027
【図２１】
2017528628.tif 000028
【図２２】
2017528628.tif 000029
【図２３】
2017528628.tif 000030
【図２４Ａ】
2017528628.tif 000031
【図２４Ｂ】
2017528628.tif 000032
【図２４Ｃ】
2017528628.tif 000033
【図２４Ｄ】
2017528628.tif 000034
【図２４Ｅ】
2017528628.tif 000035
【図２５Ａ】
2017528628.tif 000036
【図２５Ｂ】
2017528628.tif 000037
【図２６Ａ】
2017528628.tif 000038
【図２６Ｂ】
2017528628.tif 000039
【図２６Ｃ】
2017528628.tif 000040
【図２７Ａ】
2017528628.tif 000041
【図２７Ｂ】
2017528628.tif 000042
【図２７Ｃ】
2017528628.tif 000043
【図２７Ｄ】
2017528628.tif 000044
【図２７Ｅ】
2017528628.tif 000045
【図２７Ｆ】
2017528628.tif 000046
【図２８Ａ】
2017528628.tif 000047
【図２８Ｂ】
2017528628.tif 000048
【図２８Ｃ】
2017528628.tif 000049
【図２８Ｄ】
2017528628.tif 000050
【図２８Ｅ】
2017528628.tif 000051
【図２８Ｆ】
2017528628.tif 000052
【図２８Ｇ】
2017528628.tif 000053
【図２９Ａ】
2017528628.tif 000054
【図２９Ｂ】
2017528628.tif 000055
【図２９Ｃ】
2017528628.tif 000056
【図２９Ｄ】
2017528628.tif 000057
【図２９Ｅ】
2017528628.tif 000058
【図２９Ｆ】
2017528628.tif 000059
【図２９Ｇ】
2017528628.tif 000060
【図２９Ｈ】
2017528628.tif 000061
【図２９Ｉ】
2017528628.tif 000062
【図３０Ａ】
2017528628.tif 000063
【図３０Ｂ】
2017528628.tif 000064
【図３０Ｃ】
2017528628.tif 000065
【図３０Ｄ】
2017528628.tif 000066
【図３０Ｅ】
2017528628.tif 000067
【図３１Ａ】
2017528628.tif 000068
【図３１Ｂ】
2017528628.tif 000069
【図３１Ｃ】
2017528628.tif 000070
【図３１Ｄ】
2017528628.tif 000071
【図３１Ｅ】
2017528628.tif 000072
【図３１Ｆ】
2017528628.tif 000073
【図３１Ｇ】
2017528628.tif 000074
【図３１Ｈ】
2017528628.tif 000075
【図３１Ｉ】
2017528628.tif 000076
【図３２Ａ】
2017528628.tif 000077
【図３２Ｂ】
2017528628.tif 000078
【図３２Ｃ】
2017528628.tif 000079
【図３２Ｄ】
2017528628.tif 000080
【図３２Ｅ】
2017528628.tif 000081
【図３２Ｆ】
2017528628.tif 000082
【図３２Ｇ】
2017528628.tif 000083
【図３２Ｈ】
2017528628.tif 000084
【図３２Ｉ】
2017528628.tif 000085
【図３３Ａ】
2017528628.tif 000086
【図３３Ｂ】
2017528628.tif 000087
【図３３Ｃ】
2017528628.tif 000088
【国際調査報告】
2017528628.tif 000089
2017528628.tif 000090
2017528628.tif 000091
2017528628.tif 000092